(57)【要約】【課題】ワイヤレス警報システムにおいて、簡単な操作で、警報器毎に割り当てられた識別情報を、他の警報器に登録する初期登録モードを実行できるようにする。【解決手段】親警報器１＃１および子警報器１＃２〜１＃５には、同一のシステムに属した警報器１を識別するための識別情報が割り当てられており、親警報器１＃１は、子警報器１＃２〜１＃５の識別情報を登録するための記憶部１６を有し、所定の操作を受け付けると、子警報器１＃２〜１＃５に登録指令信号を送信して、返信されてきた応答信号に含まれている識別情報を記憶部１６に登録する登録モードを開始する一方、子警報器１＃２〜１＃５は、登録指令信号を受信すると、該子警報器１＃２〜１＃５に割り当てられた識別情報を含ませた応答信号を返信する。【選択図】図１
2010049625.tif 000002
【特許請求の範囲】
【請求項１】
制御信号を相互に伝送し、いずれかの警報器が監視対象の異常を検知したときには、複数の警報器から連動して警報を出力するワイヤレス警報システムにおいて、
親警報器と子警報器とからなり、前記親警報器および前記子警報器には、同一のシステムに属した警報器を識別するための識別情報が割り当てられており、
前記親警報器は、前記子警報器の識別情報を登録するための記憶部を有し、所定の操作を受け付けると、前記子警報器に登録指令信号を送信して、返信されてきた応答信号に含まれている識別情報を、前記記憶部に登録する登録モードを開始する一方、
前記子警報器は、前記登録指令信号を受信すると、該子警報器に割り当てられた識別情報を含ませた応答信号を返信するワイヤレス警報システム。
【請求項２】
請求項１において、
前記親警報器は、前記登録指令信号を送信した時点から所定時間が経過したときに、前記登録モードを自動的に終了するワイヤレス警報システム。
【請求項３】
請求項１において、
前記親警報器は、前記登録指令信号を送信したあと、前記応答信号を受信しない状態で所定時間が経過したときに、前記登録モードを自動的に終了するワイヤレス警報システム。
【請求項４】
請求項２または３において、
前記親警報器は、前記登録モードが終了したときに、前記親警報器の記憶部に識別情報が登録された子警報器の台数を報知するワイヤレス警報システム。
【発明の詳細な説明】
【技術分野】
【０００１】
本発明は、制御信号を相互に伝送し、いずれかの警報器が監視対象の異常を検知したときには、複数の警報器から連動して警報を出力するワイヤレス警報システムの改良に関する。
【背景技術】
【０００２】
上記のようなワイヤレス警報システムでは、システムに属した警報器を識別するため、初期登録として、警報器毎に割り当てられた識別情報を、他の警報器に登録するようになっている。例えば、システムの連動動作を制御する親警報器と、その親警報器によって制御される子警報器とからなるシステムでは、親警報器で所定の登録操作を行って登録モードにした後、子警報器のそれぞれで登録操作を行うことで、子警報器から親警報器に、子警報器の識別情報を含んだ登録要求信号を送信し、親警報器から子警報器に、親警報器の識別情報を含んだ応答信号を送信する手順によって、親警報器および子警報器において、識別情報を登録する。
【０００３】
なお、次の特許文献１には、そのような先行技術の例として、ワイヤレス住宅用火災警報システムにおいて、警報器は、無線信号受付時間と休止時間とを順次繰り返す無線信号受信手段と、検出手段が火災要因を検出したときには、休止時間よりも長い送信時間の間、火災信号を含んだ無線信号を送信する無線信号送信手段とを組み合わせた無線送受信部を備えた構成が記載されている。ここで、警報器には、同一システムに属した警報器を識別するための識別情報が割り当てられており、警報器は、その識別情報を含ませた無線信号を送信するようになっている。
【特許文献１】特開2008-004033号公報
【発明の開示】
【発明が解決しようとする課題】
【０００４】
しかしながら、上記のようなワイヤレス警報システムは、初期登録において、親警報器および子警報器のそれぞれで識別情報を登録するための操作が必要なので、手間が掛かるという問題があった。そこで、本発明は、簡単な操作で登録モードを実行できるようにした新規な構成のワイヤレス警報システムを提供する。
【課題を解決するための手段】
【０００５】
本発明によるワイヤレス警報システムは、制御信号を相互に伝送し、いずれかの警報器が監視対象の異常を検知したときには、複数の警報器から連動して警報を出力するワイヤレス警報システムにおいて、親警報器と子警報器とからなり、前記親警報器および前記子警報器には、同一のシステムに属した警報器を識別するための識別情報が割り当てられており、前記親警報器は、前記子警報器の識別情報を登録するための記憶部を有し、所定の操作を受け付けると、前記子警報器に登録指令信号を送信して、返信されてきた応答信号に含まれている識別情報を、前記記憶部に登録する登録モードを開始する一方、前記子警報器は、前記登録指令信号を受信すると、該子警報器に割り当てられた識別情報を含ませた応答信号を返信する。
【０００６】
ここで、前記親警報器は、前記登録指令信号を送信した時点から所定時間が経過したときに、前記登録モードを自動的に終了する構成としてもよい。
【０００７】
また、前記親警報器は、前記登録指令信号を送信したあと、前記応答信号を受信しない状態で所定時間が経過したときに、前記登録モードを自動的に終了する構成としてもよい。
【０００８】
更に、前記親警報器は、前記親警報器は、前記登録モードが終了したときに、前記親警報器の記憶部に識別情報が登録された子警報器の台数を報知するようにしてもよい。
【発明の効果】
【０００９】
本発明によれば、親警報器を操作するだけで、ワイヤレス警報システムに属した警報器の識別情報の登録が完了するので、手間が掛からない。
【００１０】
親警報器は、登録指令信号を送信した時点から所定時間が経過したときに、登録モードを自動的に終了する構成、あるいは、親警報器は、登録指令信号を送信したあと、応答信号を受信しない状態で所定時間が経過したときに、登録モードを自動的に終了する構成では、登録モードを終了させるための操作が不要になるので、一層便利である。
【００１１】
また、警報器は、登録モードが終了したときに、登録された子警報器の台数を報知する構成では、登録に失敗した子警報器があった場合には、それを簡単に知ることができるので、識別情報の登録が確実になる。
【発明を実施するための最良の形態】
【００１２】
本発明は、制御信号を相互に伝送し、いずれかの警報器が監視対象の異常を検知したときには、複数の警報器から連動して警報を出力する警報システムに好適である。このような警報システムとしては、例えば、住宅用の火災警報システム、ガス漏れ警報システム、防犯警報システム等、他の警報システムがあるが、以下、火災警報システムを例として説明する。
【００１３】
図１は、本発明を適用した警報器の概略構成を示したブロック図、図２は、その警報器の外観を示した斜視図である。
警報器１は、例えば監視対象として火災による熱、あるいは煙を検知する検知部１１と、警報停止操作等を受け付ける操作部１２と、警報の音声等を出力する音声出力部１３と、アンテナ１８を有し、他の警報器１との間で制御信号を送受信する通信部１４と、警報器１に割り当てられた識別情報を記憶する記憶部１６と、これらの各部を制御する制御部１７とを備えている。なお、１１ａは検知部１１を保護する保護カバー、１２ａは操作部１２に設けられた押し釦、１３ａは音声出力部１３を構成するスピーカのための通音孔を示している。
【００１４】
図３は、本発明による警報システムの構成図である。警報器１には、親警報器１＃１と子警報器１＃２〜１＃５とがある。親警報器１＃１と子警報器１＃２〜１＃５とでは、基本構成はほぼ共通であるが、制御部１７が実行する制御プログラムや、記憶部１６の記憶容量等に違いがある。また、無線による制御信号の伝送は、常に、親警報器１＃１と、子警報器１＃２〜１＃５との間で行われ、子警報器１＃２〜１＃５同士は、制御信号の伝送を行わない。なお、警報器１のそれぞれには、固有の識別情報が予め割り当てられており、親警報器１＃１は、自己の識別情報と、子警報器１＃２〜１＃５の全ての識別情報を記憶部１６に登録している。一方、子警報器１＃２〜１＃５は、自己の識別情報と、親警報器１＃１の識別情報とを記憶部１６に登録している。これらの識別情報は、制御信号の伝送において、送信元、送信先を特定するために使用される。
【００１５】
なお、制御信号の伝送は、例えば小電力セキュリティーシステム標準規格に従って行われる。この規格では、無線局は親機、子機によって構成され、４００ＭＨｚ帯を４８チャネルに区分したチャネルの１つを選択して、親機と子機とが信号を相互に伝送するようになっている。本発明では、全ての警報器１において、同一のチャネルが予め選択されていることを想定している。
【００１６】
警報器１による基本動作は次のように行われる。すなわち、子警報器１＃２〜１＃５は、監視対象の異常を検知すると、警報を出力すると共に、親警報器１＃１に対して連動要求信号を送信する。親警報器１＃１は、その連動要求信号を受信すると、警報を連動して出力すると共に、他の子警報器１＃２〜１＃５に対して連動指令信号を送信する。また、親警報器１＃１は、自ら監視対象の異常を検知すると、警報を出力すると共に、全ての子警報器１＃２〜１＃５に対して連動指令信号を送信する。そして、子警報器１＃２〜１＃５は、親警報器１＃１が送信した連動指令信号を受信すると、警報を連動して出力する。
【００１７】
そして、警報を出力している間に、子警報器１＃２〜１＃５で警報停止操作を受け付けると、子警報器１＃２〜１＃５は、親警報器１＃１に対して警報停止要求信号を送信する。親警報器１＃１は、その警報停止要求信号を受信すると、所定時間、警報を停止すると共に、他の子警報器１＃２〜１＃５に対して警報停止指令信号を送信する。また、親警報器１＃１は、自ら警報停止操作を受け付けると、所定時間、警報を停止すると共に、全ての子警報器１＃２〜１＃５に対して警報停止指令信号を送信する。そして、子警報器１＃２〜１＃５は、親警報器１＃１が送信した警報停止指令信号を受信すると、所定時間、警報を停止する。
【００１８】
上述したように、警報器間の制御信号の伝送には、送信元、送信先を特定するために、警報器の識別情報が含まれている。これを実現するために、親警報器１＃１には、警報システムに属する全ての子警報器１＃２〜１＃５の識別情報を登録し、子警報器１＃２〜１＃５には、親警報器１＃１の識別情報を登録する登録モードを予め実行しておく必要があるが、本発明は、その登録モードを効率的に行う点に特徴がある。
【００１９】
すなわち、本発明では、登録モードとして、親警報器１＃１は、操作部１２で、所定の操作を受け付けると、複数の子警報器１＃２〜１＃５に登録指令信号を送信する。この登録指令信号には、親警報器１＃１に割り当てられた識別情報が含まれている。この登録信号を受信した子警報器１＃２〜１＃５は、親警報器１＃１の識別情報を記憶部１６に登録すると共に、自器に割り当てられた識別情報を含ませた応答信号を返信する。そして、親警報器１＃１は、その返信されてきた応答信号に含まれている識別情報を記憶部１６に登録する。このような登録モードを実行する構成では、親警報器１＃１を操作するだけで、親警報器１＃１における全ての子警報器１＃２〜１＃５の識別情報の登録と、子警報器１＃２〜１＃５における親警報器１＃１の識別情報の登録が完了するので、手間が掛からない。
【００２０】
なお、登録指令信号は、一斉同報（ブロードキャスト）によって伝送し、複数の子警報器１＃２〜１＃５に同時に受信させる構成が望ましい。また、子警報器１＃２〜１＃５は、登録指令信号を受信したあと、ランダムに設定された遅延時間で、応答信号を返信することが望ましい。このようにすれば、応答信号の衝突による無駄な信号伝送が起きないので、電力が節約できる。
【００２１】
また、親警報器１＃１は、登録指令信号を送信した時点から所定時間（例えば８分）が経過したときに、登録モードを自動的に終了させる構成としてもよい。あるいは、登録指令信号を送信したあと、応答信号を受信しない状態で所定時間が（例えば２分）経過したときに、登録モードを自動的に終了させる構成としてもよい。これらの構成では、親警報器１＃１は、登録信号を送信した時点、あるいは、応答信号を受信する毎に、タイマを起動させ、タイムアウトした時点で登録モードを終了させる。これらの構成によれば、登録モードを終了させるための操作が不要になるので、一層便利である。
【００２２】
また更に、親警報器１＃１は、登録モードが終了したときに、記憶部１６に識別情報が登録された子警報器１＃２〜１＃５の台数を、音声出力部１３から報知させる構成としてもよい。これにより、万一、登録に失敗した子警報器１＃２〜１＃５があった場合には、それを簡単に知ることができるので、警報システムが確実に初期設定できる。
【００２３】
図４は、上記登録モードにおける親警報器１＃１と子警報器１＃２〜１＃４との間の信号伝送を時系列的に示したフロー図である。
【００２４】
フロー図の登録モードでは、親警報器１＃１は、時刻Ｔ１に、登録操作を受け付け、時刻Ｔ２に、登録指令信号を送信し、全ての子警報器１＃２〜１＃４が、その登録指令信号を同時に受信している。登録指令信号には、親警報器１＃１の識別情報が含まれているので、子警報器１＃２〜１＃４は、その親警報器１＃１の識別情報を登録する。
【００２５】
子警報器１＃２は、時刻Ｔ３に応答信号を返信し、子警報器１＃３は、時刻Ｔ４に応答信号を返信し、子警報器１＃４は、時刻Ｔ５に応答信号を返信している。しかし、子警報器１＃４が返信した応答信号は、例えばノイズ電波等の影響で、親警報器１＃１では受信されていない。応答信号には、その応答信号を送信した子警報器１＃２、１＃３の識別情報が含まれているので、親警報器１＃１は、子警報器１＃２、１＃３の識別情報を登録する。
【００２６】
子警報器＃３が応答信号を返信した時刻Ｔ４から所定時間が経過した時刻Ｔ６において、親警報器１＃１は登録通知信号を送信し、全ての子警報器１＃２〜１＃４がその登録通知信号を受信している。登録通知信号には、登録済みの子警報器１＃２、１＃３を特定した登録情報が含まれている。従って、子警報器１＃２、１＃３は、その登録情報から、自器が登録されたことを認識して処理を終了するが、子警報器１＃４は、自器が登録されていないことを認識して、時刻Ｔ８に応答信号を再度送信している。親警報器１＃１は、その応答信号を受信して、子警報器１＃４の識別情報を登録する。
【００２７】
親警報器１＃１は、子警報器＃３が応答信号を返信した時刻Ｔ４から所定時間が経過した時刻Ｔ８において、登録通信号を再度送信し、子警報器３は、その登録信号に含まれた登録情報から、自器が登録されたことを認識して処理を終了する。
【００２８】
親警報器１＃１は、子警報器＃３の応答信号を受信してから、他の応答信号を受信しない状態で所定時間が経過した時刻Ｔ９において、登録モードを終了して、識別情報が登録済みとなった子警報器１＃１〜１＃４の台数を報知する。なお、親警報器１＃１は、所定の台数（最大）の子警報器１＃２〜１＃４が登録済みになった時点で、登録モードを自動的に終了するようにしてもよい。
【００２９】
なお、子警報器１＃２〜１＃４は、応答信号を返信してから所定時間が経過するまでに、親警報器１＃１が送信した登録通知信号を受信しなかったときには、音声出力部１３から、登録の失敗を報知させる構成とすれば、登録が失敗した子警報器１＃２〜１＃４を直ちに特定できるので迅速に対処できる。
【図面の簡単な説明】
【００３０】
【図１】本発明を適用した警報器の概略構成を示したブロック図である。
【図２】本発明を適用した警報器の外観を示した斜視図である。
【図３】本発明による警報システムの構成図である。
【図４】登録モードにおける信号伝送を示したフロー図である。
【符号の説明】
【００３１】
１              警報器
１＃１          親警報器
１＃２〜１＃５  子警報器
１４            通信部
１６            記憶部
１７            制御部
【図１】
2010049625.tif 000003
【図２】
2010049625.tif 000004
【図３】
2010049625.tif 000005
【図４】
2010049625.tif 000006